(57)【要約】【課題】サイホン式大便器において、下痢便の様に比重が小さく溜水面上に浮き上がるタイプの汚物をより少ない洗浄水にて、効果的に排出させる大便器を実現する。【解決手段】ボウル部の内面を洗う為にボウル部上方から洗浄水を吐水するリム吐水部と、ボウル部の溜水中に位置し、溜水を排水するトラップ吸い込み口に向けて洗浄水を噴射するジェット噴射部と、前記排水トラップ吸い込み口付近に位置するサブジェット噴射部と、を持つ大便器であって、前記サブジェット噴射部からの吐水流は、溜水中のボウル面の壁面に沿って斜め上方または斜め下方に向かって旋回するように構成されている。【選択図】　図１
2004100307.tif 000002
【特許請求の範囲】
【請求項１】
ボウル部の内面を洗う為にボウル部上方から洗浄水を吐水するリム吐水部と、ボウル部の溜水中に位置し、溜水を排水するトラップ吸い込み口に向けて洗浄水を噴射するジェット噴射部と、前記トラップ吸い込み口付近に位置するサブジェット噴射部と、を持つ大便器であって、前記サブジェット噴射部からの吐水流は、溜水中のボウル面の壁面に沿って斜め上方または斜め下方に向かって旋回することを特徴とする水洗式大便器。
【請求項２】
請求の範囲第１項記載の水洗式大便器であって、前記リム吐水部はボウル部の上部後方に設けられた単一の吐水口より水平方向に吐水するものであり、吐水された洗浄水がボウル面上を周回することによりボウル部の内面を洗浄することを特徴とする水洗式大便器。
【請求項３】
請求の範囲第１項又は第２項記載の水洗式大便器であって、前記サブジェット噴射部からの吐水は、前記ジェット噴射部からの吐水よりも先に行われることを特徴とする水洗式大便器。
【請求項４】
請求の範囲第３項記載の水洗式大便器であって、溜水の排水終了後にその初期水量に戻す為に補給を行う際には、前記リム吐水部とサブジェット吐水部とから同時に吐水を行うことを特徴とする水洗式大便器。
【請求項５】
請求の範囲第３項記載の水洗式大便器であって、溜水の排水終了後にその初期水量に戻す為に補給を行う際には、前記リム吐水部からのみ吐水することを特徴とする水洗式大便器。
【請求項６】
請求の範囲第２項記載の水洗式大便器であって、前記リム吐水部からは気泡を混入した洗浄水を吐水し、その洗浄水はボウル面上を周回することによりボウル洗浄を行うことを特徴とした水洗式大便器。
【請求項７】
請求の範囲第１項又は第２項記載の水洗式大便器であって、前記サブジェット噴射部からの洗浄水は略水平に噴射されるものであり、この洗浄水を壁面にそって斜め上若しくは斜め下方向に誘導し、且つ水はねを抑制するためのガイドがボール部内面に構成されていることを特徴とした水洗式大便器。
【発明の詳細な説明】
【０００１】
【発明の属する技術分野】
本発明は、便器のボール部内の汚物を、洗浄水を用いて便器外へ搬送し、便器洗浄を行う大便器に関する。
【０００２】
【従来の技術】
従来、サイホン作用を使って汚物を排出する大便器において、汚物排出を効果的に行うためにボウル面を洗う洗浄水によって溜水に旋回を与え、汚物を中央に寄せて排出し易くする方法は良く知られている。但し、洗浄水の水勢はボウル面を流れ落ちて行く過程で弱くなって行くため、大量の汚物が浮かんだ状態の溜水を旋回させ、汚物の排出を行う為には、水勢をより強くするか、ボウル洗浄水の吐出時間を長くとることが必要となり、水道水圧を使うタイプの大便器では、使用可能最低圧力域を高くしたり、ボウル洗浄水の吐水時間を延ばすことになり、使用水量が多くなったり、使い手が悪くなっていた。
これに対して、従来の技術では、ボウル部上部に設けられたリム部にボウル面に沿わせて洗浄水を吐出する複数のリム吐水口を設けるとともに、ボウル面にボウル部の溜水に旋回を与えるための洗浄水を噴射するボウル射水口を設け、洗浄する際にはリム吐水口へ給水した後、ボウル射水口へ給水する給水制御装置を組み合わせることにより、汚物の排出を効果的に、具体的には水中に設置したボウル射水口からの水勢をダイレクトに溜水に伝えることで、例えば水圧が低い条件の時に渦流が作れる様にしていた。（例えば、特許文献１参照）
【０００３】
【特許文献１】
特開平３−９０７５６号公報（第２−３頁、第１図）
【０００４】
【発明が解決しようとする課題】
ところが、最近、大便器の洗浄水の使用水量は、１６Ｌ／回から、約１３Ｌ／回へ、そして約１０Ｌ／ｌ回、８Ｌ／回へという様に、漸次減少の傾向にある。そのため、汚物を浮かせる溜水の水量も減ってきており、溜水面積が小さくなったり、溜水の水深を浅くしている状況である。そのため、特に水に浮かぶ様な汚物の動きの自由度がなくなり、例えば、前記特許文献１に示す手段を用いても、低い水勢では、渦流を作ることが難しくなってきている。また、サイホン式大便器では、浮いた汚物は最後に吸い込まれるが、洗浄水の減少により、その排出タイミングは更に厳しいものになるため、単に渦流を作るだけでは汚物の排出能力は不十分となる。
【０００５】
【課題を解決するための手段および作用・効果】
上記目標を達成するため、請求項１の発明は、ボウル部の内面を洗う為にボウル部上方から洗浄水を吐水するリム吐水部と、ボウル部の溜水中に位置し、溜水を排水するトラップ吸い込み口に向けて洗浄水を噴射するジェット噴射部と、前記トラップ吸い込み口付近に位置するサブジェット噴射部と、を持つ大便器であって、前記サブジェット噴射部からの吐水流は、溜水中のボウル面の壁面に沿って斜め上方または斜め下方に向かって旋回することを特徴とする。
比重が軽く、溜水面付近に浮かんでしまうタイプの汚物をサイホン作用によって排出する場合、その排出タイミングは、サイホン終了間際となり、排出不全に陥りやすい。この現象を抑制する手段として旋回を発生させ、汚物を溜水面中央に寄せて短時間に排出できる様にするが、下痢便の様に非常に比重が軽い汚物では、なかなか引き込まれずに残ってしまうケースがある。そこで、ボウル部吸い込み口周辺に設けた単一の射水口からの流れをボウル面の側面に沿って吐出し、壁面に沿って旋回流を作りつつ進み、且つ上方に向かった流れとすることで、溜水を上下方向に攪拌する流れを作り出す。この流れにより、溜水面近くに浮かぶ汚物をボウル面底部へ、即ちトラップ吸い込み口近くへと移動させることができ、サイホンが生じた直後から汚物を効果的に排出することで、このような汚物に対しても効果的な排出が行える様になる。
【０００６】
請求項２の発明は、前記リム吐水部はボウル部の上部後方に設けられた単一の吐水口より水平方向に吐水するものであり、吐水された洗浄水がボウル面上を周回することによりボウル部の内面を洗浄することを特徴とする。
汚物の排出の効果を高める手段としての溜水への旋回付与について、まず、ボウル後方に設置した単一のノズルから吐水される洗浄水は、それ自体従来のリム通水路に穿孔された射水口からの流れより強くも溜水を旋回させる力と、かつボウル部吸い込み口に設けた単一の射水口からの流れにより、直接溜水内部に旋回・攪拌を生じさせる力を合わせることで、汚物の排出を短時間に、且つ強力に行うことができる様になる。
【０００７】
請求項３の発明は請求の範囲第１項又は第２項記載の水洗式大便器であって、前記サブジェット噴射部からの吐水は、前記ジェット噴射部からの吐水よりも先に行われることを特徴とする。
溜水を旋回・攪拌させる為の射水口からの吐水を、サイホンを起こす為の射水口からの吐水よりも先に行うことにより、排出し難い溜水表面に浮いている汚物を水中に沈めた後に、トラップ内部にサイホン状態を形成させて、汚物をトラップ内部に吸い込ませることができる。その結果、サイホンの形成の初期から汚物の排出が行われる様になるため、有効汚物排出時間を上げることができ、便器としての能力アップや節水化を実現することができる。
【０００８】
請求項４の発明は、請求の範囲第３項記載の水洗式大便器であって、溜水の排水終了後にその初期水量に戻す為に補給を行う際には、前記リム吐水部とサブジェット吐水部とから同時に吐水を行うことを特徴とする。
サイホン便器の一連の洗浄行程において、最後の行程である、溜水戻しの際、ボウル面を洗う為の射水口と溜水を旋回・攪拌させる為の射水口から同時に吐水を行う様にすることで、仮にボウル面に汚物の付着残りが発生したとしても、溜水が溜まってゆく際に形成される旋回・攪拌流により、洗い落とすことが可能となる。
【０００９】
請求項５の発明は、請求の範囲第３項記載の水洗式大便器であって、溜水の排水終了後にその初期水量に戻す為に補給を行う際には、前記リム吐水部からのみ吐水することを特徴とする。
サイホン便器の一連の洗浄行程において、最後の行程である、溜水戻しの際、溜水を旋回・攪拌させる為の射水口から吐水し、溜水を溜める場合、溜め始めにおいては、ボウル面の溜水が少ないため、ノズルの位置によっては、射水口から放出された流れが大気中にその水勢を保ったまま放出される。その結果、ボウル部下部の壁面から沿って周り上がり、便器の外に飛び出す可能性がある。
そこで、溜水戻しの際には、ボウル面後方に設けた単一の吐水口より、吐水することで溜水を貯める様にすることで、洗浄水が飛び出さない溜水戻しを行わせることができる。
【００１０】
請求項６の発明は、請求の範囲第２項記載の水洗式大便器であって、前記リム吐水部からは気泡を混入した洗浄水を吐水し、その洗浄水はボウル面上を周回することによりボウル洗浄を行うことを特徴とする。
ボウル上部に設けられたリム部に対して、ボウル面後方に設けた単一の吐水口より、水平方向に気泡を混入した流れを吐水し、洗浄水はボウル面上を周回することによりボウル洗浄を行うため、洗浄水を２つの流路に分けて出すことになる。分流した分、ボウル面の洗浄水のボリューム感が不足してくることになるが、洗浄水中に気泡を混入させることにより、ボリューム感と、吐出流速を確保することができる。
【００１１】
請求項７の発明は、請求の範囲第１項又は第２項記載の水洗式大便器であって、前記サブジェット噴射部からの洗浄水は略水平に噴射されるものであり、この洗浄水を壁面にそって斜め上若しくは斜め下方向に誘導し、且つ水はねを抑制するためのガイドがボール部内面に構成されていることを特徴とする。
溜水を旋回・揺動させるための射水口が設置されたボウル面下部に、ガイドを構成することにより、射水口から吐出される流れをガイドにより偏向し、効果的に溜水を旋回・攪拌する流れに変えることができる様になる。
【００１２】
【発明の実施の形態】
図１は、本発明の第１の実施形態を示すものであり、水洗式大便器を中心線に沿って切断した端面を示し、図２から図５は、図１にて示した便器での洗浄水の動きを時系列に示したものである。
また図６は前記水洗式大便器の外観を示す。
図１から図６に示す水洗式大便器は、ボウル面後方に設けた単一の吐水口より、水平方向に吐水し、洗浄水をボウル面上を周回させることにより、ボウル面１５を洗う為の射水口であるリム吐水部１８と溜水１７を旋回・攪拌させる為の射水口であるサブジェット噴射部１６とサイホンを起こす為の射水口であるジェット噴射部３を持ち、前記した溜水１７を旋回・揺動させるための射水口サブジェット噴射部１６は、単穴であり、且つトラップ吸い込み口５付近に開口し、その吐水流は、ボウル部１５の壁面に沿って斜め上方または斜め下方に向かって吐出する様に設置されている。
また、図７には前述したリム吐水部１８とサブジェット噴射部１６とジェット噴射部３からの吐水シーケンスを示している。以下、その給水シーケンスに従って、洗浄の様子を説明する。
【００１３】
給水管７から供給された加圧洗浄水は給水バルブ１０によって、リム給水管１１及び、サブジェット給水管１３及びジェット給水管２に振りわけられる。尚、この洗浄水バルブ１０は、シーケンシャルバルブであり、加圧洗浄水をリム給水管１１及びサブジェット給水管１３からの吐水は、ジェット給水管２からの吐水よりも早く行われる。
リム給水管１１に供給された加圧洗浄水は、リム吐水部１８から吐水され、ボウル部１５を洗浄する。サブジェット給水管１２には電磁弁１２が付けられており、バルブ１０を動かす制御部からの信号により開となり、供給された加圧洗浄水はサブジェット噴射部１６より吐水され、溜水１７を旋回・攪拌させる。
その後、ジェット噴射部３よりトラップ吸い込み口５に向かい、加圧洗浄水が放出される。
【００１４】
ジェット噴射部３より、ゼット流として吐水された流れは排水トラップ４に入り、サイホン作用を作り出す。このサイホン作用により、ボウル部１５に貯留された汚水が引き込まれ、洗浄が行われてゆく。以下、図１から図５を使ってこの様子を示す。　図１では洗浄水がまだ供給されていない初期状態を示している。つまり、リム吐水部１８、サブジェット噴射部１６、ジェット噴射部３に給水されていない状態である。
【００１５】
図２では、リム吐水部１８とサブジェット噴射部１６に加圧洗浄水が供給され、ボウル部１５の洗浄と溜水１７の攪拌が開始された状況を示す。
ボウル面後方に設けた単一の吐水口であるリム吐水部１８より、水平方向に吐水された洗浄水はボウル部１５上を周回しつつ、広がりボウル面１５の洗浄を行う。また、サブジェット給水管１３を通りサブジェット噴射部１６から吐水される洗浄水は、直接溜水１７中に吐水される。
【００１６】
図３では、リム吐水部１８及びサブジェット噴射部１６への給水が更に続いた時の状況を示す。
リム吐水部１８より、水平方向に吐水された洗浄水により溜水１７は回転運動を与えられる。同時にサブジェット噴射部１６から直接溜水１７中に吐水された洗浄水は、ボウル部１５の側面に沿って吐出し、ボウル壁面に沿って旋回流を作りつつ進むことで、上方に向かった流れとなり、溜水１７を上下方向に攪拌する流れを作り出す。この流れにより、溜水１７の表面近くに浮かぶ汚物をボウル面１５の底部へ、即ちトラップ吸い込み口５近くへと移動してゆく。また、例えば、水よりも比重が大きい汚物は、トラップ吸い込み口付近に大量に集中して詰まりを起こす可能性があるが、前述した溜水１７を上下方向に攪拌する流れにより、塊がほぐされる形となり、詰まり不良に効果を出すことができる。
【００１７】
図４では、リム吐水部１８及びサブジェット噴射部１６からの給水が、ジェット噴射部３に切り替わった時の状況を示す。
ジェット噴射部３から吐水された洗浄水は、周辺の汚水と共に前述した流れによりトラップ吸い込み口５付近に移動させた汚物も同時に排水トラップ１４の中に押し込み、汚物排出と同時にサイホンの形成を行う。このため、非常に効率良く汚物を排出することが可能となる。
【００１８】
図５では、汚物を排出した後に、ジェット噴射部３への給水を止め、ボウル部１５に溜水を溜める時の状況を示す。
リム給水管１１に供給された加圧洗浄水は、リム吐水部１８から吐水され、ボウル部１５に溜水を供給する。この時、サブジェット給水管１２の電磁弁１２は、バルブ１０を動かす制御部からの信号により閉となっているため、サブジェット噴射部１６から放出された流れが大気中にその水勢を保ったまま放出され、その結果、ボウル部１５下部の壁面から沿って周り上がり、便器の外に飛び出すことを防ぐことができる。
【００１９】
図８において、本発明の第１の実施例の変形例を示す。リム給水管１１の途中には空気混入ユニット１９が取り付けられている。給水管７から供給された加圧洗浄水は給水バルブ１０によって、リム給水管１１及び、サブジェット給水管１３及びジェット給水管２に振りわけられる。尚、この洗浄水バルブ１０は、シーケンシャルバルブであり、加圧洗浄水をリム給水管１１及びサブジェット給水管１３からの吐水は、ジェット給水管２からの吐水よりも早く行われる。
リム給水管１１に供給された加圧洗浄水は、途中空気混入ユニット１９により、気泡を含んだ気泡流となりリム吐水部１８から吐水される。気泡を含むことにより、瞬間流量が増大するため、結果として洗浄水の吐出流速があがり、ボウル部１５を洗浄する水勢を強くできる様になる。
【００２０】
図９に本発明の第１の実施例の変形例における、リム吐水部１８とサブジェット噴射部１６とジェット噴射部３からの吐水シーケンスを示している。
溜水の補給は、リム吐水部１８からの給水の他にサブジェット噴射部１６を通じて行う様にしている。これにより、溜水の補給時において、サブジェット噴射部１６より吐水された洗浄水により、溜水１７を旋回・攪拌させる。
その結果、仮にボウル部１５に汚物の付着残りが発生したとしても、溜水が溜まってゆく際に形成される旋回・攪拌流により、容易に洗い落とすことが可能となる。
【００２１】
図１０・図１１・図１２に本発明の第１の実施例の変形例を示す。図１０では、溜水を旋回・攪拌させるための射水口であるサブジェット噴射部１６が略水平に設置されサブジェット噴射部１６からの吐水を壁面にそって斜め上若しくは斜め下方向に誘導し、且つ水はねを抑制するための吐水ガイド２１がボウル面下部に構成されている。
図１１は、図１０に示した大便器を真上から見たものである。
溜水１７を旋回・揺動させるための射水口であるサブジェット噴射部１６の取り付けを容易にする等の理由で、略水平にボウル面１５の下部に設置した場合、そのままでは、壁面にそって斜め上、または斜め下に向かう流れにすることは難しい。そこで、図１０・図１１に示した吐水ガイド２１を構成する。吐水ガイド２１は、図１２に示す様にボウル部１５に対して斜めに構成されているため、サブジェット噴射部１６から吐出される流れを偏向し、効果的に溜水を旋回・攪拌する流れに変えることができる。
【図面の簡単な説明】
【図１】本発明の第１の実施形態を示す水洗式大便器を中心線に沿って切断した端面図。
【図２】洗浄水が流れている際の水洗式大便器を中心線に沿って切断した端面図。
【図３】洗浄水が流れている際の水洗式大便器を中心線に沿って切断した端面図。
【図４】洗浄水が流れている際の水洗式大便器を中心線に沿って切断した端面図。
【図５】洗浄水が流れている際の水洗式大便器を中心線に沿って切断した端面図。
【図６】本発明における第１の実施形態である水洗式大便器の外観図
【図７】本発明の第１の実施形態でのリム吐水部とサブジェット噴射部とジェット噴射部からの吐水シーケンスチャート
【図８】本発明の第１の実施例の変形例を示した水洗式大便器を中心線に沿って切断した端面図。
【図９】本発明の第１の実施例の変形例での、リム吐水部とサブジェット噴射部とジェット噴射部からの吐水シーケンスチャート
【図１０】本発明の第１の実施例の変形例を示した水洗式大便器を中心線に沿って切断した端面図。
【図１１】図１０に示した大便器を真上から見た図
【図１２】図１０に示した大便器の吐水ガイドの構成を示した図
【符号の説明】
１…固定ナット
２…ジェット給水管
３…ジェット噴射部
４…排水トラップ
５…トラップ吸い込み口
６…汚物
７…給水管
８…止水栓
９…蓋
１０…バルブ
１１…リム給水管
１２…電磁弁
１３…サブジェット給水管
１４…リム
１５…ボウル部
１６…サブジェット噴射部
１７…溜水
１８…リム吐水部
１９…気泡混入ユニット
２０…気泡洗浄流
２１…吐水ガイド
【図１】
2004100307.tif 000003
【図２】
2004100307.tif 000004
【図３】
2004100307.tif 000005
【図４】
2004100307.tif 000006
【図５】
2004100307.tif 000007
【図６】
2004100307.tif 000008
【図７】
2004100307.tif 000009
【図８】
2004100307.tif 000010
【図９】
2004100307.tif 000011
【図１０】
2004100307.tif 000012
【図１１】
2004100307.tif 000013
【図１２】
2004100307.tif 000014